(57)【要約】【課題】外部容器内に断熱板が配置されてなる保冷箱において、保冷箱が大型になった場合でも容易に折り畳んだり組み立てたりする。【解決手段】側面１１３の内側に配置された側方用断熱板１２３と、側面１１４の内側に配置され、側方用断熱板１２３に回動自在に連結した奥方用断熱板１２４と、側面１１５の内側に配置され、奥方用断熱板１２４に回動自在に連結した側方用断熱板１２５と、天面１１１の内側に配置され、側方用断熱板１２３に回動自在に連結した天面用断熱板１２１と、底面１１２の内側に配置され、側方用断熱板１２３に回動自在に連結した底面用断熱板１２２とを有する。【選択図】図１
2019006455.tif 000002
【特許請求の範囲】
【請求項１】
１つの側面が開口した箱状をなす外カバーと、
前記外カバーの前記開口した側面に隣り合う第１の側面の内側に配置された第１の側方用断熱板と、
前記外カバーの前記開口した側面に対向する第２の側面の内側に配置され、前記開口した側面側に山折りとなるように折り畳み可能で、前記第１の側方用断熱板に回動自在に連結した第２の側方用断熱板と、
前記外カバーの前記第１の側面に対向する第３の側面の内側に配置され、前記第２の側方用断熱板に回動自在に連結した第３の側方用断熱板と、
前記外カバーの前記開口した側面を前面としたときの天面の内側に配置され、前記第１の側方用断熱板または前記天面の内側に配置され前記第１の側方用断熱板と連接してなる第１の連結部に回動自在に連結した第１の天面用断熱板と、
前記外カバーの前記天面に対向する底面の内側に配置され、前記第１の側方用断熱板または前記底面の内側に配置され前記第１の側方用断熱板と連接してなる第２の連結部に回動自在に連結した第１の底面用断熱板とを有する、保冷箱。
【請求項２】
請求項１に記載の保冷箱において、
対向する一対の側面が開口した箱状をなし、当該開口した側面が前記外カバーの開口した側面に対向するように配置されて前記外カバーと連結される第２の外カバーと、
前記第２の外カバーの前記開口した側面に隣り合う１つの側面の内側に配置された第４の側方用断熱板と、
前記第２の外カバーの前記開口した側面を前面としたときの天面の内側に配置され、前記第４の側方用断熱板または前記第２の外カバーの前記天面の内側に配置され前記第４の側方用断熱板と連接してなる第３の連結部に回動自在に連結した第２の天面用断熱板と、
前記第２の外カバーの前記１つの側面に対向する側面の内側に配置され、前記第２の天面用断熱板に回動自在に連結した第５の側方用断熱板と、
前記第２の外カバーの前記天面に対向する底面の内側に配置され、前記第４の側方用断熱板または前記第２の外カバーの前記底面の内側に配置され前記第４の側方用断熱板と連接してなる第４の連結部に回動自在に連結した第２の底面用断熱板とを有する、保冷箱。
【発明の詳細な説明】
【技術分野】
【０００１】
本発明は、物品を収容して保冷する保冷箱に関し、特に、折り畳み可能な保冷箱に関する。
【背景技術】
【０００２】
物流システムにおいては、物品を一定温度、例えば低温で輸送するサービスが、陸送、空輸を問わず提供されている。物品を低温で輸送する場合は、例えば、断熱性を有する保冷箱に物品とともに保冷材を収容し、この保冷材の冷気によって物品を保冷しながら輸送することが考えられる。また、倉庫内にて物品を低温で保管する場合も同様に、断熱性を有する保冷箱に物品とともに保冷材を収容し、保冷材の冷気によって物品を保冷しながら保管することが考えられる。
【０００３】
このような保冷箱としては、外箱内に、板状の断熱材を外箱の内壁に重ね合わせるように配置したものが考えられている（例えば、特許文献１参照）。このように外箱となる収納容器内に板状の断熱板を配置した構成の保冷箱を用いることで、断熱性を有する箱体を用いることなく、物品を保冷することができる。
【先行技術文献】
【特許文献】
【０００４】
【特許文献１】特開２００３−１８２７７７号公報
【発明の概要】
【発明が解決しようとする課題】
【０００５】
ところで、上述したような保冷箱においては、特に、航空コンテナ内に収容して物品を一定温度で空輸する場合等、大型の収納スペース内に保冷箱を収容する場合、保冷箱を容易に折り畳んだり組み立てたりすることが求められる。
【０００６】
しかしながら、上述したように収納容器内に板状の断熱材を配置した保冷箱を折り畳む場合、例えば、収納容器から断熱材を取り出して収納容器を折り畳むこととなり、特に保冷箱が大型である場合に取り回しが困難となることから、容易に折り畳んだり組み立てたりすることができないという問題点がある。
【０００７】
本発明は、上述したような従来の技術が有する問題点に鑑みてなされたものであって、外部容器内に断熱板が配置されてなる保冷箱において、保冷箱が大型になった場合でも容易に折り畳んだり組み立てたりすることができる保冷箱を提供することを目的とする。
【課題を解決するための手段】
【０００８】
上記目的を達成するために本発明は、
１つの側面が開口した箱状をなす外カバーと、
前記外カバーの前記開口した側面に隣り合う第１の側面の内側に配置された第１の側方用断熱板と、
前記外カバーの前記開口した側面に対向する第２の側面の内側に配置され、前記開口した側面側に山折りとなるように折り畳み可能で、前記第１の側方用断熱板に回動自在に連結した第２の側方用断熱板と、
前記外カバーの前記第１の側面に対向する第３の側面の内側に配置され、前記第２の側方用断熱板に回動自在に連結した第３の側方用断熱板と、
前記外カバーの前記開口した側面を前面としたときの天面の内側に配置され、前記第１の側方用断熱板または前記天面の内側に配置され前記第１の側方用断熱板と連接してなる第１の連結部に回動自在に連結した第１の天面用断熱板と、
前記外カバーの前記天面に対向する底面の内側に配置され、前記第１の側方用断熱板または前記底面の内側に配置され前記第１の側方用断熱板と連接してなる第２の連結部に回動自在に連結した第１の底面用断熱板とを有する。
【０００９】
上記のように構成された本発明においては、保冷箱を折り畳む場合は、まず、第２の側方用断熱板を折り畳みながら第３の側方用断熱板を回動させ、第３の側方用断熱板を第２の側方用断熱板に重ね合わせるとともに第２の側方用断熱板を第１の底面用断熱板に重ね合わせ、次に、第１の天面用断熱板を回動させて第３の側方用断熱板に重ね合わせ、その後、第１の底面用断熱板を回動させて第１の天面用断熱板に重ね合わせる。これにより、第１の側方用断熱板と第２の側方用断熱板と第３の側方用断熱板と第１の天面用断熱板と第１の底面用断熱板とが重ね合わされた状態となる。そして、第１の側方用断熱板と第２の側方用断熱板と第３の側方用断熱板と第１の天面用断熱板と第１の底面用断熱板とが重ね合わされた状態の外形に沿って外カバーを折り畳むことで、容易に折り畳むことができる。このように折り畳まれた保冷箱を組み立てる場合は、外カバーを広げた後、まず、第１の底面用断熱板を回動させて外カバーの底面に重ね合わせ、次に、第１の天面用断熱板を回動させて外カバーの天面に重ね合わせ、その後、第３の側方用断熱板を回動させながら第２の側方用断熱板を開き、第３の側方用断熱板を外カバーの第３の側面に重ね合わせるとともに第２の側方用断熱板を外カバーの第２の側面に重ね合わせることで、組み立てることができる。
【００１０】
また、上記の構成に加えて、
対向する一対の側面が開口した箱状をなし、当該開口した側面が前記外カバーの開口した側面に対向するように配置されて前記外カバーと連結される第２の外カバーと、
前記第２の外カバーの前記開口した側面に隣り合う１つの側面の内側に配置された第４の側方用断熱板と、
前記第２の外カバーの前記開口した側面を前面としたときの天面の内側に配置され、前記第４の側方用断熱板または前記天面の内側に配置され前記第４の側方用断熱板と連接してなる第３の連結部に回動自在に連結した第２の天面用断熱板と、
前記第２の外カバーの前記１つの側面に対向する側面の内側に配置され、前記第２の天面用断熱板に回動自在に連結した第５の側方用断熱板と、
前記第２の外カバーの前記天面に対向する底面の内側に配置され、前記第４の側方用断熱板または前記底面の内側に配置され前記第４の側方用断熱板と連接してなる第４の連結部に回動自在に連結した第２の底面用断熱板とを有する構成とすることも考えられる。
【００１１】
上記のように構成された本発明においては、第２の外カバーとその内側の断熱板を折り畳む場合は、まず、第２の天面用断熱板及び第５の側方用断熱板を回動させ、第５の側方用断熱板を第２の天面用断熱板に重ね合わせた状態として第４の側方用断熱板に重ね合わせ、その後、第２の底面用断熱板を回動させて第２の天面用断熱板に重ね合わせる。これにより、第４の側方用断熱板と第５の側方用断熱板と第２の天面用断熱板と第２の底面用断熱板とが重ね合わされた状態となる。そして、第４の側方用断熱板と第５の側方用断熱板と第２の天面用断熱板と第２の底面用断熱板とが重ね合わされた状態の外形に沿って第２の外カバーを折り畳むことで、容易に折り畳むことができる。このように折り畳まれた保冷箱を組み立てる場合は、第２の外カバーを広げた後、まず、第２の底面用断熱板を回動させて第２の外カバーの底面に重ね合わせ、その後、第２の天面用断熱板と第５の側方用断熱板を回動させ、第２の天面用断熱板を第２の外カバーの天面に重ね合わせるとともに、第５の側方用断熱板を第２の外カバーの側面に重ね合わせることで、組み立てることができる。
【発明の効果】
【００１２】
本発明によれば、第２の側方用断熱板と第３の側方用断熱板と第１の天面用断熱板と第１の底面用断熱板とをそれぞれ回動させるだけで、折り畳んだり組み立てたりすることができるため、組み立てるためのスペースを必要最低限とすることができ、特に、保冷箱が大型になった場合でも容易に折り畳んだり組み立てたりすることができる。また、組み立てる際に側方用断熱板を少しでも回動させることで、天井となる第１の天面用断熱板を支えることができるため、天井を支えた状態にしやすくなり、組み立てやすくなる。
【００１３】
また、第２の外カバーを有するものにおいても、第２の外カバーの内側に配置された第２の天面用断熱板と第５の側方用断熱板と第２の底面用断熱板とをそれぞれ回動させるだけで、容易に折り畳んだり組み立てたりすることができる。
【図面の簡単な説明】
【００１４】
【図１】本発明の保冷箱の第１の実施の形態を示す図であり、（ａ）は外観斜視図、（ｂ）は内部構造を示す図である。
【図２】図１に示した保冷箱の折り畳み方法を説明するための図である。
【図３】図１に示した保冷箱の折り畳み方法を説明するための図である。
【図４】図１に示した保冷箱の組み立て方法を説明するための図である。
【図５】図１に示した保冷箱の組み立て方法を説明するための図である。
【図６】本発明の保冷箱の第２の実施の形態を示す図であり、（ａ）は外観斜視図、（ｂ）は内部構造を示す図である。
【図７】図６に示した保冷箱の折り畳み方法を説明するための図である。
【図８】図６に示した保冷箱の折り畳み方法を説明するための図である。
【図９】図６に示した保冷箱の組み立て方法を説明するための図である。
【図１０】図６に示した保冷箱の組み立て方法を説明するための図である。
【図１１】図６に示した保冷箱を組み立てる際の天面用断熱板と側方用断熱板の回動方法の他の例を説明するための図である。
【図１２】本発明の保冷箱の第３の実施の形態を示す図であり、（ａ）は外観斜視図、（ｂ）は内部構造を示す図である。
【図１３】図１２に示した保冷箱の折り畳み方法を説明するための図である。
【図１４】図１２に示した保冷箱の折り畳み方法を説明するための図である。
【図１５】図１２に示した保冷箱の組み立て方法を説明するための図である。
【図１６】図１２に示した保冷箱の組み立て方法を説明するための図である。
【図１７】本発明の保冷箱の第４の実施の形態を示す図であり、（ａ）は外観斜視図、（ｂ）は内部構造を示す図である。
【発明を実施するための形態】
【００１５】
以下に、本発明の実施の形態について図面を参照して説明する。
【００１６】
（第１の実施の形態）
図１は、本発明の保冷箱の第１の実施の形態を示す図であり、（ａ）は外観斜視図、（ｂ）は内部構造を示す図である。
【００１７】
本形態は図１に示すように、外カバー１１０内に、側方用断熱板１２３，１２５、奥方用断熱板１２４、天面用断熱板１２１及び底面用断熱板１２２からなる内側容器が配置されてなる保冷箱１００である。側方用断熱板１２３，１２５、奥方用断熱板１２４、天面用断熱板１２１及び底面用断熱板１２２はそれぞれ、発泡スチロールからなる板状の断熱材がシートで包まれて構成されている。断熱板としては、発泡スチロールのみで構成されているものに限らず、真空断熱パネルを２枚の発泡スチロールで挟んだものであってもよい。また、断熱板を包むシートとしては、アルミ蒸着シートや、長繊維の織物を芯材としてポリエチレンでラミネートした耐候性を有するＵＶシート等が考えられるが、アルミ蒸着シートを用いた場合、熱線反射やバリア性が期待される。また、天面用断熱板１２１においては、断熱材の下面に薄いプラスチックシートを重ね合わせ、このプラスチックシートを断熱材とともにシートで包むことで、天面用断熱板１２１をしなりにくくすることが考えられる。
【００１８】
外カバー１１０は、天面１１１、底面１１２及び３つの側面１１３〜１１５からなり、１つの側面が開口した箱状を構成している。外カバー１１０は、可撓性を有するシートから構成され、内側容器が内部に配置されることで箱状となるが、アルミシート等の断熱性を有するものであることが好ましい。外カバー１１０の互いに対向する一対の側面１１３，１１５は、開口した側面に沿って扉結合部１１７ａ，１１７ｂが突出しており、この扉結合部１１７ａ，１１７ｂに、扉１１６ａ，１１６ｂが面ファスナー等によって取り付けられている。扉１１６ａ，１１６ｂは、閉じられた場合にその一部が重なり合う形状を有し、一方の扉１１６ａには、扉１１６ｂ側の端辺に沿う領域に扉１１６ａを開けるための取っ手１１８ａが設けられるとともに、取っ手１１８ａが設けられた端辺に沿って扉１１６ａの表裏にシートが貼り付けられることで取っ手補強部１１９ａが形成されている。外カバー１１０の側面１１５及び天面１１１には、折り畳まれた保冷箱１００に巻き付ける折り畳みベルト１１９ｂが取り付けられている。
【００１９】
側方用断熱板１２３は、本願発明における第１の側方用断熱板となるものであって、外カバー１１０の第１の側面１１３の内側に重ね合わされ、面ファスナー等によって側面１１３に固定されている。
【００２０】
奥方用断熱板１２４は、本願発明における第２の側方用断熱板となるものであって、外カバー１１０の２つの側面１１３，１１４の連接方向に折り畳み可能に分割された、互いに同一の外形となる第１の領域１２４ａと第２の領域１２４ｂとからなり、外カバー１１０の第２の側面１１４の内側に重ね合わされるように配置され、縫合等の手段によって第１の領域１２４ａが側方用断熱板１２３と折り畳み可能に連結して構成されている。第１の領域１２４ａには、第２の領域１２４ｂ側の端辺に沿う領域に、奥方用断熱板１２４を折り畳む際に、第１の領域１２４ａの第２の領域１２４ｂ側の端辺に沿う領域を手前に引っ張るための取っ手１２４ｄが取り付けられている。
【００２１】
側方用断熱板１２５は、本願発明における第３の側方用断熱板となるものであって、外カバー１１０の第３の側面１１５の内側に重ね合わされるように配置され、縫合等の手段によって奥方用断熱板１２４の第２の領域１２４ｂと回動自在となって連結している。
【００２２】
天面用断熱板１２１は、本願発明における第１の天面用断熱板となるものであって、外カバー１１０の天面１１１の内側に重ね合わされるように配置され、側方用断熱板１２３と連接してなる第１の連結部１２１ａを介して側方用断熱板１２３と連結している。連結部１２１ａは、天面用断熱板１２１との連結方向の幅が、側方用断熱板１２３，１２５と奥方用断熱板１２４の第１の領域１２４ａと第２の領域１２４ｂとを加えた厚さと同一となっており、天面１１１の側面１１３側の端辺に沿う領域にて側方用断熱板１２３の端面上に載置された状態で天面１１１の一部に重ね合わされている。そして、天面用断熱板１２１は、この連結部１２１ａに縫合等の手段によって回動自在に連結することで、側方用断熱板１２３と回動自在となって連結している。
【００２３】
底面用断熱板１２２は、本願発明における第１の底面用断熱板となるものであって、外カバー１１０の底面１１２の内側に重ね合わされるように配置され、側方用断熱板１２３と連接してなる第２の連結部１２２ａを介して側方用断熱板１２３と連結している。連結部１２２ａは、底面用断熱板１２２との連結方向の幅が、側方用断熱板１２３，１２５と奥方用断熱板１２４の第１の領域１２４ａと第２の領域１２４ｂと天面用断熱板１２１とを加えた厚さと同一となっており、底面１１２の側面１１３側の端辺に沿う領域にて側方用断熱板１２３の端面に当接した状態で底面１１２の一部に重ね合わされている。そして、底面用断熱板１２２は、この連結部１２２ａに縫合等の手段によって回動自在に連結することで、側方用断熱板１２３と回動自在となって連結している。
【００２４】
扉１１６ａ，１１６ｂには、保冷箱１１０の内側となる面に扉用断熱板１２６ａ，１２６ｂがそれぞれ取り付けられている。扉用断熱板１２６ａ，１２６ｂのそれぞれは、扉１１６ａ，１１６ｂよりも側方用断熱板１２３，１２５、天面用断熱板１２１、底面用断熱板１２２、連結部１２１ａ，１２２ａの厚さ分、一回り小さな形状と有するとともに、扉１１６ａ，１１６ｂの互いに当接する端辺に沿う領域も避けて設けられることで、扉１１６ａ，１１６ｂを閉じた際に、側方用断熱板１２３，１２５、天面用断熱板１２１、底面用断熱板１２２、連結部１２１ａ，１２２ａに干渉したり、互いに干渉しあったりすることがないように構成されている。
【００２５】
以下に、上記のように構成された保冷箱１００の使用方法について説明する。
【００２６】
まず、保冷箱１００の折り畳み方法について説明する。
【００２７】
図２及び図３は、図１に示した保冷箱１００の折り畳み方法を説明するための図である。
【００２８】
図１に示した保冷箱１００を折り畳む場合は、図２（ａ）に示すように扉１１６ａ，１１６ｂを開けた状態において、まず、図２（ｂ）に示すように、側方用断熱板１２５を、外カバー１１０の側面１１５に重ね合わされた状態から、奥方用断熱板１２４の第２の領域１２４ｂとの連結部分を中心として、第２の領域１２４ｂに重ね合わされる状態まで回動させる。この際、側方用断熱板１２５は、その端面が天面用断熱板１２１及び底面用断熱板１２２に当接するように配置されているため、天面用断熱板１２１や底面用断熱板１２２が側方用断熱板１２５の回動に邪魔になることはない。
【００２９】
次に、図２（ｃ）に示すように、奥方用断熱板１２４に取り付けられた取っ手１２４ｄを手前に引っ張ることで、奥方用断熱板１２４を、外カバー１１０の側面１１４に重ね合わされた状態から、奥方用断熱板１２４を手前側に山折りとなるように折り部１２４ｃを中心として折り畳みながら、奥方用断熱板１２４の第１の領域１２４ａを、側方用断熱板１２３との連結部分を中心として回動させていき、図３（ａ）に示すように、奥方用断熱板１２４が折り部１２４ｃを中心として折り畳まれて第１の領域１２４ａと第２の領域１２４ｂとが重ね合わされるとともに、第１の領域１２４ａが側方用断熱板１２３に重ね合わされ、第２の領域１２４ｂが側方用断熱板１２５に重ね合わされた状態とする。この際、奥方用断熱板１２４は、その端面が天面用断熱板１２１及び底面用断熱板１２２に当接するように配置されているため、天面用断熱板１２１や底面用断熱板１２２が奥方用断熱板１２４の回動に邪魔になることはない。
【００３０】
次に、図３（ｂ）に示すように、天面用断熱板１２１を、外カバー１１０の天面１１１に重ね合わされた状態から、連結部１２１ａとの連結部分を中心として、奥方用断熱板１２４に重ね合わされた側方用断熱板１２５に重ね合わされる状態まで回動させる。この際、連結部１２１ａの天面用断熱板１２１との連結方向の幅が、側方用断熱板１２３，１２５と奥方用断熱板１２４の第１の領域１２４ａと第２の領域１２４ｂとを加えた厚さと同一となっていることで、天面用断熱板１２１を側方用断熱板１２５に重ね合わせることができる。
【００３１】
次に、図３（ｃ）に示すように、底面用断熱板１２２を、外カバー１１０の底面１１２に重ね合わされた状態から、連結部１２２ａとの連結部分を中心として、側方用断熱板１２５に重ね合わされた天面用断熱板１２１に重ね合わされる状態まで回動させる。この際、連結部１２２ａの底面用断熱板１２２との連結方向の幅が、側方用断熱板１２３，１２５と奥方用断熱板１２４の第１の領域１２４ａと第２の領域１２４ｂと天面用断熱板１２１とを加えた厚さと同一となっていることで、底面用断熱板１２２を天面用断熱板１２１に重ね合わせることができる。
【００３２】
その後、図３（ｄ）に示すように、外カバー１１０を内側容器の外形に沿って折り畳み、折り畳まれた保冷箱１００に折り畳みベルト１１９ｂを巻き付けて、保管や輸送等を行うことになる。この際、奥方用断熱板１２４が分割された第１の領域１２４ａ及び第２の領域１２４ｂの連接方向の幅が側方用断熱板１２３，１２５の幅と同一であれば、保冷箱１００を折り畳んだ際に端辺が揃った状態となり、保管や輸送がしやすくなる。
【００３３】
このように、本形態の保冷箱１００においては、奥方用断熱板１２４と側方用断熱板１２５と天面用断熱板１２１と底面用断熱板１２２とをそれぞれ回動させるだけで折り畳むことができるため、保冷箱が大型になった場合でも容易に折り畳むことができる。
【００３４】
次に、上記のようにして折り畳まれた保冷箱１００の組み立て方法について説明する。
【００３５】
図４及び図５は、図１に示した保冷箱１００の組み立て方法を説明するための図である。
【００３６】
上記のようにして折り畳まれた保冷箱１００を組み立てる場合は、図４（ａ）に示すように外カバー１１０を広げた状態において、まず、図４（ｂ）に示すように、底面用断熱板１２２を、天面用断熱板１２１に重ね合わされた状態から、連結部１２２ａとの連結部分を中心として、外カバー１１０の底面１１２に重ね合わされる状態まで回動させる。
【００３７】
次に、図４（ｃ）に示すように、天面用断熱板１２１を、側方用断熱板１２５に重ね合わされた状態から、連結部１２１ａとの連結部分を中心として、外カバー１１０の天面１１１に重ね合わされる状態まで回動させる。
【００３８】
次に、図５（ａ）に示すように、奥方用断熱板１２４の第１の領域１２４ａを、側方用断熱板１２３に重ね合わされた状態から、側方用断熱板１２３との連結部分を中心として回動させるとともに、奥方用断熱板１２４の第１の領域１２４ａと第２の領域１２４ｂとを開いていき、図５（ｂ）に示すように、奥方用断熱板１２４が外カバー１１０の側面１１４に重ね合わされた状態とする。
【００３９】
その後、図５（ｃ）に示すように、側方用断熱板１２５を、奥方用断熱板１２４の第２の領域１２４ｂに重ね合わされた状態から、第２の領域１２４ｂとの連結部分を中心として、外カバー１１０の側面１１５に重ね合わされる状態まで回動させる。
【００４０】
このように、本形態の保冷箱１００においては、奥方用断熱板１２４と側方用断熱板１２５と天面用断熱板１２１と底面用断熱板１２２とをそれぞれ回動させるだけで組み立てることができるため、組み立てるためのスペースを必要最低限とすることができ、特に、保冷箱が大型になった場合でも容易に組み立てることができる。この際、作業員が保冷箱１００内に入り込んで、保冷箱１００内に被保冷物を収容したり、保冷箱１００を折り畳んだり組み立てたりすることになるため、底面用断熱板１２２上に薄いプラスチックシートを重ね合わせて固定することで、底面用断熱板１２２が作業靴等で傷ついてしまうことを回避できるとともに、側方用断熱板１２５及び奥方用断熱板１２４を回動させる際のすべり性が向上する。また、組み立てる際に奥方用断熱板１２４や側方用断熱板１２５を少しでも回動させることで、天井となる天面用断熱板１２１を支えることができるため、天井を支えた状態にしやすくなり、組み立てやすくなる。
【００４１】
なお、本形態における保冷箱１００は、後述するように他の保冷箱と連結させて使用する場合もあるため、外カバー１１０の扉１１６ａ，１１６ｂ及びそれらに取り付けられた扉用断熱板１２６ａ，１２６ｂはなくても構成することができる。
【００４２】
（第２の実施の形態）
図６は、本発明の保冷箱の第２の実施の形態を示す図であり、（ａ）は外観斜視図、（ｂ）は内部構造を示す図である。
【００４３】
本形態は図６に示すように、外カバー２１０内に、側方用断熱板２２３，２２５、奥方用断熱板２２４、天面用断熱板２２１及び底面用断熱板２２２からなる内側容器が配置されてなる保冷箱２００である。側方用断熱板２２３，２２５、奥方用断熱板２２４、天面用断熱板２２１及び底面用断熱板２２２はそれぞれ、第１の実施の形態にて示したものと同様に、発泡スチロール等からなる板状の断熱材が、アルミ蒸着シート等で包まれて構成されている。また、天面用断熱板２２１においては、断熱材の下面に薄いプラスチックシートを重ね合わせ、このプラスチックシートを断熱材とともにシートで包むことで、天面用断熱板２２１をしなりにくくすることが考えられる。
【００４４】
外カバー２１０は、第１の実施の形態にて示したものと同様に、天面２１１、底面２１２及び３つの側面２１３〜２１５からなり、１つの側面が開口した箱状を構成している。外カバー２１０は、可撓性を有するアルミシート等から構成され、内側容器が内部に配置されることで箱状となる。外カバー２１０の互いに対向する一対の側面２１３，２１５は、開口した側面に沿って扉結合部２１７ａ，２１７ｂが突出しており、この扉結合部２１７ａ，２１７ｂに、扉２１６ａ，２１６ｂが面ファスナー等によって取り付けられている。扉２１６ａ，２１６ｂは、閉じられた場合にその一部が重なり合う形状を有し、一方の扉２１６ａには、扉２１６ｂ側の端辺に沿う領域に扉２１６ａを開けるための取っ手２１８ａが設けられるとともに、取っ手２１８ａが設けられた端辺に沿って扉２１６ａの表裏にシートが貼り付けられることで取っ手補強部２１９ａが形成されている。外カバー２１０の側面２１５及び天面２１１には、折り畳まれた保冷箱２００に巻き付ける折り畳みベルト２１９ｂが取り付けられている。
【００４５】
側方用断熱板２２３は、外カバー２１０の側面２１３の内側に重ね合わされ、面ファスナー等によって側面２１３に固定されている。
【００４６】
奥方用断熱板２２４は、外カバー２１０の２つの側面２１３，２１４の連接方向に折り畳み可能に分割された、互いに同一の外形となる第１の領域２２４ａと第２の領域２２４ｂとからなり、外カバー２１０の側面２１４の内側に重ね合わされるように配置され、縫合等の手段によって第１の領域２２４ａが側方用断熱板２２３と折り畳み可能に連結して構成されている。第１の領域２２４ａには、第２の領域２２４ｂ側の端辺に沿う領域に、奥方用断熱板２２４を折り畳む際に、第１の領域２２４ａの第２の領域２２４ｂ側の端辺に沿う領域を手前に引っ張るための取っ手２２４ｄが取り付けられている。
【００４７】
天面用断熱板２２１は、外カバー２１０の天面２１１の内側に重ね合わされるように配置され、連結部２２１ａを介して側方用断熱板２２３と連結している。連結部２２１ａは、天面用断熱板２２１との連結方向の幅が、側方用断熱板２２３，２２５と奥方用断熱板２２４の第１の領域２２４ａと第２の領域２２４ｂとを加えた厚さと同一となっており、天面２１１の側面２１３側の端辺に沿う領域にて側方用断熱板２２３の端面上に載置された状態で天面２１１の一部に重ね合わされている。そして、天面用断熱板２２１は、この連結部２２１ａに縫合等の手段によって回動自在に連結することで、側方用断熱板２２３と回動自在となって連結している。
【００４８】
側方用断熱板２２５は、外カバー２１０の側面２１５の内側に重ね合わされるように配置され、縫合等の手段によって天面用断熱板２２２と回動自在となって連結している。
【００４９】
底面用断熱板２２２は、外カバー２１０の底面２１２の内側に重ね合わされるように配置され、連結部２２２ａを介して側方用断熱板２２３と連結している。連結部２２２ａは、底面用断熱板２２２との連結方向の幅が、側方用断熱板２２３，２２５と奥方用断熱板２２４の第１の領域２２４ａと第２の領域２２４ｂと天面用断熱板２２１とを加えた厚さと同一となっており、底面２１２の側面２１３側の端辺に沿う領域にて側方用断熱板２２３の端面に当接した状態で底面２１２の一部に重ね合わされている。そして、底面用断熱板２２２は、この連結部２２２ａに縫合等の手段によって回動自在に連結することで、側方用断熱板２２３と回動自在となって連結している。
【００５０】
扉２１６ａ，２１６ｂには、保冷箱２１０の内側となる面に扉用断熱板２２６ａ，２２６ｂがそれぞれ取り付けられている。扉用断熱板２２６ａ，２２６ｂのそれぞれは、扉２１６ａ，２１６ｂよりも側方用断熱板２２３，２２５、天面用断熱板２２１、底面用断熱板２２２、連結部２２１ａ，２２２ａの厚さ分、一回り小さな形状と有するとともに、扉２１６ａ，２１６ｂの互いに当接する端辺に沿う領域も避けて設けられることで、扉２１６ａ，２１６ｂを閉じた際に、側方用断熱板２２３，２２５、天面用断熱板２２１、底面用断熱板２２２、連結部２２１ａ，２２２ａに干渉したり、互いに干渉しあったりすることがないように構成されている。
【００５１】
以下に、上記のように構成された保冷箱２００の使用方法について説明する。
【００５２】
まず、保冷箱２００の折り畳み方法について説明する。
【００５３】
図７及び図８は、図６に示した保冷箱２００の折り畳み方法を説明するための図である。
【００５４】
図６に示した保冷箱２００を折り畳む場合は、図７（ａ）に示すように扉２１６ａ，２１６ｂを開けた状態において、まず、図７（ｂ）に示すように、奥方用断熱板２２４に取り付けられた取っ手２２４ｄを手前に引っ張ることで、奥方用断熱板２２４を、外カバー２１０の側面２１４に重ね合わされた状態から、奥方用断熱板２２４を手前側に山折りとなるように折り部２２４ｃを中心として折り畳みながら、奥方用断熱板２２４の第１の領域２２４ａを、側方用断熱板２２３との連結部分を中心として回動させていき、図７（ｃ）に示すように、奥方用断熱板２２４が折り部２２４ｃを中心として折り畳まれて第１の領域２２４ａと第２の領域２２４ｂとが重ね合わされるとともに、第１の領域２２４ａが側方用断熱板１２３に重ね合わされた状態とする。この際、奥方用断熱板２２４は、その端面が天面用断熱板２２１及び底面用断熱板２２２に当接するように配置されているため、天面用断熱板２２１や底面用断熱板２２２が奥方用断熱板２２４の回動に邪魔になることはない。
【００５５】
次に、図８（ａ）に示すように、側方用断熱板２２５を、外カバー２１０の側面２１５に重ね合わされた状態から、天面用断熱板２２１との連結部分を中心として、天面用断熱板２２１に重ね合わされる状態まで回動させる。
【００５６】
次に、図８（ｂ）に示すように、側方用断熱板２２５が重ね合わされた天面用断熱板２２１を、外カバー２１０の天面２１１に重ね合わされた状態から、連結部２２１ａとの連結部分を中心として、側方用断熱板２２５が奥方用断熱板２２４の第２の領域２２４ｂに重ね合わされる状態まで回動させる。この際、連結部２２１ａの天面用断熱板２２１との連結方向の幅が、側方用断熱板２２３，２２５と奥方用断熱板２２４の第１の領域２２４ａと第２の領域２２４ｂとを加えた厚さと同一となっていることで、天面用断熱板２２１に重ね合わされた側方用断熱板２２５を奥方用断熱板２２４の第２の領域２２４ｂに重ね合わせることができる。
【００５７】
次に、図８（ｃ）に示すように、底面用断熱板２２２を、外カバー２１０の底面２１２に重ね合わされた状態から、連結部２２２ａとの連結部分を中心として、側方用断熱板２２５に重ね合わされた天面用断熱板２２１に重ね合わされる状態まで回動させる。この際、連結部２２２ａの底面用断熱板２２２との連結方向の幅が、側方用断熱板２２３，２２５と奥方用断熱板２２４の第１の領域２２４ａと第２の領域２２４ｂと天面用断熱板２２１とを加えた厚さと同一となっていることで、底面用断熱板２２２を天面用断熱板２２１に重ね合わせることができる。
【００５８】
その後、図８（ｄ）に示すように、外カバー２１０を内側容器の外形に沿って折り畳み、折り畳まれた保冷箱２００に折り畳みベルト２１９ｂを巻き付けて、保管や輸送等を行うことになる。この際、奥方用断熱板２２４が分割された第１の領域２２４ａ及び第２の領域２２４ｂの連接方向の幅が側方用断熱板２２３，２２５の幅と同一であれば、保冷箱２００を折り畳んだ際に端辺が揃った状態となり、保管や輸送がしやすくなる。
【００５９】
このように、本形態の保冷箱２００においては、奥方用断熱板２２４と側方用断熱板２２５と天面用断熱板２２１と底面用断熱板２２２とをそれぞれ回動させるだけで折り畳むことができるため、保冷箱が大型になった場合でも容易に折り畳むことができる。
【００６０】
次に、上記のようにして折り畳まれた保冷箱２００の組み立て方法について説明する。
【００６１】
図９及び図１０は、図６に示した保冷箱２００の組み立て方法を説明するための図である。
【００６２】
上記のようにして折り畳まれた保冷箱２００を組み立てる場合は、図９（ａ）に示すように外カバー２１０を広げた状態において、まず、図９（ｂ）に示すように、底面用断熱板２２２を、天面用断熱板２２１に重ね合わされた状態から、連結部２２２ａとの連結部分を中心として、外カバー２１０の底面２１２に重ね合わされる状態まで回動させる。
【００６３】
次に、図９（ｃ）に示すように、天面用断熱板２２１とこれに重ね合わされた側方用断熱板２２５を、側方用断熱板２２５が奥方用断熱板２２４の第２の領域２２４ｂに重ね合わされた状態から、連結部２２１ａとの連結部分を中心として、天面用断熱板２２１が外カバー２１０の天面２１１に重ね合わされる状態まで回動させる。
【００６４】
次に、図１０（ａ）に示すように、側方用断熱板２２５を、天面用断熱板２２１に重ね合わされた状態から、天面用断熱板２２１との連結部分を中心として、外カバー２１０の側面２１５に重ね合わされる状態まで回動させる。
【００６５】
その後、図１０（ｂ）に示すように、奥方用断熱板２２４の第１の領域２２４ａを、側方用断熱板２２３に重ね合わされた状態から、側方用断熱板２２３との連結部分を中心として回動させるとともに、奥方用断熱板２２４の第１の領域２２４ａと第２の領域２２４ｂとを開いていき、図１０（ｃ）に示すように、奥方用断熱板２２４が外カバー２１０の側面２１４に重ね合わされた状態とする。
【００６６】
このように、本形態の保冷箱２００においては、奥方用断熱板２２４と側方用断熱板２２５と天面用断熱板２２１と底面用断熱板２２２とをそれぞれ回動させるだけで組み立てることができるため、保冷箱が大型になった場合でも容易に組み立てることができる。この際、作業員が保冷箱２００内に入り込んで、保冷箱２００内に被保冷物を収容したり、保冷箱２００を折り畳んだり組み立てたりすることになるため、底面用断熱板２２２上に薄いプラスチックシートを重ね合わせて固定することで、底面用断熱板２２２が作業靴等で傷ついてしまうことを回避できる。
【００６７】
図１１は、図６に示した保冷箱２００を組み立てる際の天面用断熱板２２１と側方用断熱板２２５の回動方法の他の例を説明するための図である。
【００６８】
図６に示した保冷箱２００において、保冷箱２００を組み立てるために天面用断熱板２２１と側方用断熱板２２５を回動させる際、上記のように、まず、天面用断熱板２２１と側方用断熱板２２５とを互いに重ね合わされた状態で回動させた後、側方用断熱板２２５を外カバー２１０の側面２１５に重ね合わされる状態まで回動させるのではなく、図１１に示すように、天面用断熱板２２１を連結部２２１ａとの連結部分を中心として回動させながら、側方用断熱板２２５を天面用断熱板２２１との連結部分を中心として回動させてもよい。その場合、側方用断熱板２２５の天面用断熱板２２１との連結部分とは反対側の端面を底面用断熱板２２２上を滑らせるようにして天面用断熱板２２１を回動させることで、作業者が自力で天面用断熱板２２１を持ち上げる必要がなくなる。
【００６９】
なお、本形態における保冷箱２００は、後述するように他の保冷箱と連結させて使用する場合もあるため、外カバー２１０の扉２１６ａ，２１６ｂ及びそれらに取り付けられた扉用断熱板２２６ａ，２２６ｂはなくても構成することができる。
【００７０】
（第３の実施の形態）
図１２は、本発明の保冷箱の第３の実施の形態を示す図であり、（ａ）は外観斜視図、（ｂ）は内部構造を示す図である。
【００７１】
本形態における保冷箱は図１２に示すように、図１に示した保冷箱１００から外カバー１１０の扉１１６ａ，１１６ｂ及びそれらに取り付けられた扉用断熱板１２６ａ，１２６ｂを取り除いてなる保冷箱４００と、図６に示した保冷箱２００から、外カバー２１０の奥側の側面２１４及びそれに取り付けられた奥方用断熱板２２４を取り除いてなる保冷箱５００とが、保冷箱５００が手前側となって前後に連結して構成されたものである。
【００７２】
保冷箱５００を構成する外カバー２１０は、本願発明における第２の外カバーとなり、図６に示した保冷箱２００の奥側の側面２１４を取り除いた構成であることで、対向する一対の側面が開口した箱状をなすものとなっている。また、本形態においては、側方用断熱板２２３が本願発明における第４の側方用断熱板となり、側方用断熱板２２５が本願発明における第５の側方用断熱板となり、天面用断熱板２２１が本願発明における第２の天面用断熱板となり、底面用断熱板２２２が本願発明における第２の底面用断熱板となる。また、連結部２２１ａが本願発明における第３の連結部となり、連結部２２２ａが本願発明における第４の連結部となる。
【００７３】
このように構成された保冷箱は、保冷箱４００の天面用断熱板１２１と保冷箱５００の天面用断熱板２２１とがジョイントシート３０１ａ，３０１ｂによって連結され、また、保冷箱４００の側方用断熱板１２３と保冷箱５００の側方用断熱板２２３とがジョイントシート３０１ｃ，３０１ｄによって連結され、保冷箱４００の側方用断熱板１２５と保冷箱５００の側方用断熱板２２５とがジョイントシート３０１ｅ，３０１ｆによって連結されることによって、保冷箱５００の外カバー２１０が、保冷箱４００の外カバー１１０の開口した側面に対向するように配置された状態で保冷箱４００の外カバー１１０と連結されたものとなる。また、保冷箱４００の天面用断熱板１２１と保冷箱５００の天面用断熱板２２１との境界部分には、保冷箱４００の天面用断熱板１２１と保冷箱５００の天面用断熱板２２１とに亘って空気侵入防止シート３０２が貼付されている。
【００７４】
以下に、上記のように構成された保冷箱の使用方法について説明する。なお、奥側の保冷箱４００においては、図１に示した保冷箱１００と同様であるため、その説明は省略する。
【００７５】
まず、保冷箱５００の折り畳み方法について説明する。
【００７６】
図１３及び図１４は、図１２に示した保冷箱５００の折り畳み方法を説明するための図である。
【００７７】
図１２に示した保冷箱５００を折り畳む場合は、図１３（ａ）に示すように扉２１６ａ，２１６ｂを開けた状態において、まず、図１３（ｂ）に示すように、側方用断熱板２２５を、外カバー２１０の側面２１５に重ね合わされた状態から、天面用断熱板２２１との連結部分を中心として、天面用断熱板２２１に重ね合わされる状態まで回動させる。
【００７８】
次に、図１３（ｃ）に示すように、側方用断熱板２２５が重ね合わされた天面用断熱板２２１を、外カバー２１０の天面２１１に重ね合わされた状態から、連結部２２１ａとの連結部分を中心として、側方用断熱板２２５が側方用断熱板２２３に重ね合わされる状態まで回動させる。なお、保冷箱５００においては、図６に示した保冷箱２００とは異なり、連結部２２１ａの天面用断熱板２２１との連結方向の幅が、側方用断熱板２２３，２２５を加えた厚さと同一となっている。それにより、天面用断熱板２２１に重ね合わされた側方用断熱板２２５を側方用断熱板２２３に重ね合わせることができる。
【００７９】
次に、図１４（ａ）に示すように、底面用断熱板２２２を、外カバー２１０の底面２１２に重ね合わされた状態から、連結部２２２ａとの連結部分を中心として、側方用断熱板２２５に重ね合わされた天面用断熱板２２１に重ね合わされる状態まで回動させる。なお、保冷箱５００においては、図６に示した保冷箱２００とは異なり、連結部２２２ａの底面用断熱板２２２との連結方向の幅が、側方用断熱板２２３，２２５と天面用断熱板２２１とを加えた厚さと同一となっている。それにより、底面用断熱板２２２を天面用断熱板２１１に重ね合わせることができる。
【００８０】
その後、図１４（ｂ）に示すように、外カバー２１０を内側容器の外形に沿って折り畳み、折り畳まれた保冷箱５００に折り畳みベルト２１９ｂを巻き付けて、保管や輸送等を行うことになる。
【００８１】
このように、本形態の保冷箱５００においても、側方用断熱板２２５と天面用断熱板２２１と底面用断熱板２２２とをそれぞれ回動させるだけで折り畳むことができるため、保冷箱が大型になった場合でも容易に折り畳むことができる。
【００８２】
次に、上記のようにして折り畳まれた保冷箱５００の組み立て方法について説明する。
【００８３】
図１５及び図１６は、図１２に示した保冷箱５００の組み立て方法を説明するための図である。
【００８４】
上記のようにして折り畳まれた保冷箱５００を組み立てる場合は、図１５（ａ）に示すように外カバー２１０を広げた状態において、まず、図１５（ｂ）に示すように、底面用断熱板２２２を、天面用断熱板２２１に重ね合わされた状態から、連結部２２２ａとの連結部分を中心として、外カバー２１０の底面２１２に重ね合わされる状態まで回動させる。
【００８５】
次に、図１６（ａ）に示すように、天面用断熱板２２１とこれに重ね合わされた側方用断熱板２２５を、側方用断熱板２２５が側方用断熱板２２３に重ね合わされた状態から、連結部２２１ａとの連結部分を中心として、天面用断熱板２２１が外カバー２１０の天面２１１に重ね合わされる状態まで回動させる。
【００８６】
その後、図１６（ｂ）に示すように、側方用断熱板２２５を、天面用断熱板２２１に重ね合わされた状態から、天面用断熱板２２１との連結部分を中心として、外カバー２１０の側面２１５に重ね合わされる状態まで回動させる。
【００８７】
このように、本形態の保冷箱５００においては、側方用断熱板２２５と天面用断熱板２２１と底面用断熱板２２２とをそれぞれ回動させるだけで組み立てることができるため、保冷箱が大型になった場合でも容易に組み立てることができる。この際、作業員が保冷箱５００内に入り込んで、保冷箱５００内に被保冷物を収容したり、保冷箱５００を折り畳んだり組み立てたりすることになるため、底面用断熱板５２２上に薄いプラスチックシートを重ね合わせて固定することで、底面用断熱板５２２が作業靴等で傷ついてしまうことを回避できる。なお、本形態における保冷箱５００においても、図１１に示したように、組み立てる際に、天面用断熱板２２１を連結部２２１ａとの連結部分を中心として回動させながら、側方用断熱板２２５を天面用断熱板２２１との連結部分を中心として回動させてもよい。
【００８８】
なお、本形態の保冷箱は、航空コンテナ内に設置されて使用されることが考えられる。その場合、上記のように２つの保冷箱４００，５００が前後に連結した外形が、航空コンテナ内の空間と略同一形状となる。
【００８９】
（第４の実施の形態）
図１７は、本発明の保冷箱の第４の実施の形態を示す図であり、（ａ）は外観斜視図、（ｂ）は内部構造を示す図である。
【００９０】
本形態における保冷箱は図１７に示すように、図１２に示したものに対して、奥側に配置される保冷箱６００が、図６に示した保冷箱２００から外カバー２１０の扉２１６ａ，２１６ｂ及びそれらに取り付けられた扉用断熱板２２６ａ，２２６ｂを取り除いた構成である点が異なるものである。
【００９１】
上記のように構成された保冷箱は、保冷箱６００の天面用断熱板２２１と保冷箱５００の天面用断熱板２２１とがジョイントシート３０１ａ，３０１ｂによって連結され、また、保冷箱６００の側方用断熱板２２３と保冷箱５００の側方用断熱板２２３とがジョイントシート３０１ｃ，３０１ｄによって連結され、保冷箱６００の側方用断熱板２２５と保冷箱５００の側方用断熱板２２５とがジョイントシート３０１ｅ，３０１ｆによって連結されることによって、保冷箱５００の外カバー２１０が、保冷箱６００の外カバー２１０の開口した側面に対向するように配置された状態で保冷箱６００の外カバー２１０と連結されたものとなる。また、保冷箱６００の天面用断熱板２２１と保冷箱５００の天面用断熱板２２１との境界部分には、保冷箱６００の天面用断熱板２２１と保冷箱５００の天面用断熱板２２１とに亘って空気侵入防止シート３０２が貼付されている。
【００９２】
本形態における保冷箱は、保冷箱６００については、図６に示した保冷箱２００と同様に折り畳まれたり組み立てられたりし、保冷箱５００については、図１３〜図１６に示したようにして折り畳まれたり組み立てられたりすることになる。
【００９３】
なお、上述した実施の形態においては、天面用断熱板１２１，２２１が連結部１２１ａ，２２１ａを介して側方用断熱板１２３，２２３に連結するとともに、底面用断熱板１２２，２２２が連結部１２２ａ，２２２ａを介して側方用断熱板１２３，２２３に連結しているため、天面用断熱板１２１，２２１や底面用断熱板１２２，２２２がある程度の硬さを有するものであっても、保冷箱を折り畳んだ際に、天面用断熱板１２１，２２１や底面用断熱板１２２，２２２が他の断熱板と重なり合うようにすることができるが、天面用断熱板１２１，２２１や底面用断熱板１２２，２２２が柔軟性を有するものである場合は、天面用断熱板１２１，２２１や底面用断熱板１２２，２２２が側方用断熱板１２３，２２３に直接連結した構成としてもよい。
【符号の説明】
【００９４】
１００，２００，４００，５００，６００    保冷箱
１１０，２１０    外カバー
１１１，２１１    天面
１１２，２１２    底面
１１３〜１１５，２１３〜２１５    側面
１１６ａ，１１６ｂ    扉
１１７ａ，１１７ｂ，２１７ａ，２１７ｂ    扉結合部
１１８ａ，１１８ｂ，１１９ａ，１２４ｄ，２１８ａ，２１８ｂ，２１９ａ，２２４ｄ    取っ手
１１９ｂ，２１９ｂ    折り畳みベルト
１２１，２２１    天面用断熱板
１２１ａ，１２２ａ，２２１ａ，２２２ａ    連結部
１２２，２２２    底面用断熱板
１２３，１２５，２２３，２２５    側方用断熱板
１２４，２２４    奥方用断熱板
１２４ａ，２２４ａ    第１の領域
１２４ｂ，２２４ｂ    第２の領域
１２４ｃ，２２４ｃ    折り部
１２６ａ，１２６ｂ，２２６ａ，２２６ｂ    扉用断熱板
３０１ａ〜３０１ｆ    ジョイントシート
３０２    空気侵入防止シート
【図１】
2019006455.tif 000003
【図２】
2019006455.tif 000004
【図３】
2019006455.tif 000005
【図４】
2019006455.tif 000006
【図５】
2019006455.tif 000007
【図６】
2019006455.tif 000008
【図７】
2019006455.tif 000009
【図８】
2019006455.tif 000010
【図９】
2019006455.tif 000011
【図１０】
2019006455.tif 000012
【図１１】
2019006455.tif 000013
【図１２】
2019006455.tif 000014
【図１３】
2019006455.tif 000015
【図１４】
2019006455.tif 000016
【図１５】
2019006455.tif 000017
【図１６】
2019006455.tif 000018
【図１７】
2019006455.tif 000019